(57)【要約】【課題】カード体収容ケース内に予め収容されているカード体を簡単な操作で上側から一枚ずつ取り出すことを可能にしたカード体収容ケースを提供すること。【解決手段】可撓性を有する材料により多角形断面の筒状体に形成された外ケース２０と、外ケース２０の内部空間において第１開口端部２３と第２開口端部２５の方向にスライド可能であって、カード体である名刺４０が収容される内ケース３０と、を具備し、内ケース３０は外表面の一面が開口面３２に形成されたトレー形状に形成されていて、外ケース２０の外表面のうち、開口面３２に対向する対向面には内ケース３０の最上面に位置する名刺４０に粘着する粘着部材としての粘着シール５０が取り付けられていることを特徴とするカード体収容ケース１０である。【選択図】図６
2020078397.tif 000002
【特許請求の範囲】
【請求項１】
可撓性を有する材料により多角形断面の筒状体に形成された外ケースと、
前記外ケースの内部空間において前記筒状体の高さ方向における開口端部の間を往復する方向にスライド可能であって、カード体が収容される内ケースと、を具備し、
前記内ケースは外表面の一面が開口面に形成されたトレー形状に形成されていて、
前記外ケースの前記開口面に対向する対向面には、前記内ケースの最上面に位置する前記カード体に粘着する粘着部材が取り付けられていることを特徴とするカード体収容ケース。
【請求項２】
前記内ケースには、前記開口面の一部を覆う上面カバーを有すると共に、前記上面カバーの内側面には、摩擦部材が取り付けられていることを特徴とする請求項１記載のカード体収容ケース。
【請求項３】
前記粘着部材は前記対向面に着脱可能であることを特徴とする請求項１または２記載のカード体収容ケース。
【請求項４】
前記外ケースには、前記開口端部から前記粘着部材が取り付けられている位置に向けて切欠部が形成されていることを特徴とする請求項１〜３のうちのいずれか一項に記載のカード体収容ケース。
【請求項５】
前記内ケースと前記外ケースには、前記内ケースの前記外ケースからの逸脱を防止するためのストッパが設けられていることを特徴とする請求項１〜４のうちのいずれか一項に記載のカード体収容ケース。
【請求項６】
前記外ケースと前記内ケースはいずれもシート体を折り曲げることにより形成されていることを特徴とする請求項１〜５のうちのいずれか一項に記載のカード体収容ケース。
【請求項７】
前記外ケースと前記内ケースはいずれもシート体を折り曲げることにより形成されていて、
前記外ケースの折り曲げ部に前記内ケースの折り曲げ部を組み合わせることにより、前記ストッパを形成していることを特徴とする請求項５記載のカード体収容ケース。
【請求項８】
前記外ケースは複数のパネルをヒンジにより連結し、互いの前記パネルを凹凸嵌合により組み立てることで形成されていることを特徴とする請求項５記載のカード体収容ケース。
【請求項９】
前記外ケースは複数のパネルをヒンジにより連結し、互いの前記パネルを凹凸嵌合により組み立てることで形成されていて、
前記外ケースの内表面には少なくとも１箇所に前記内ケースの側に突出する嵌合用凸部が形成されていると共に、前記内ケースの外表面には、前記嵌合用凸部に対応する位置に嵌合用凹部が形成されていて、
前記内ケースを前記外ケースの内部空間で移動させることにより、前記嵌合用凸部が前記嵌合用凹部に凹凸嵌合することにより前記ストッパとして作用することを特徴とする請求項５記載のカード体収容ケース。
【発明の詳細な説明】
【技術分野】
【０００１】
本発明はカード体収容ケースに関し、より詳細には、カード体収容ケースからカード体を容易に一枚ずつ取り出すことを可能にしたカード体収容ケースに関する。
【背景技術】
【０００２】
収容されているカード体を一枚ずつ取り出すことを可能にしたカード体収容ケースの構成が特許文献１（特開２０１７−１３６３４０号）等において提案されている。
【０００３】
特許文献１に開示されているカード体収容ケース１００の構成を図２０に示す。カード体収容ケース１００は、上面側が開口する扁平直方体の箱状の本体１０１と、本体１０１の上面側を開放または閉塞して本体１０１に対し回動可能に形成された蓋体１０２と、本体１０１の後部側に蓋体１０２の基端側を回動可能に軸支する回動軸１０３を有するものである。そして本体１０１の内部空間１０４にカード体１０５を収納することにより本体１０１の上面側からカード体１０５を一枚ずつ取り出するものある。より詳細には、カード体収容ケース１００の内部空間１０４に挿入させたカード体１０５´の先端部分の押圧により回動する取り出し具１０６を具備し、内部空間１０４に収納されているカード体１０５のうち、最上面に位置するカード体１０５をカード体１０５´の押し込み方向とは反対方向に押し出して取り出しするものである。
【０００４】
特許文献１におけるカード体収容ケース１００によれば、カード体収容ケース１００への新たなカード体１０５´の追加収容により取り出し具１０６を回動させることで、先に内部空間１０４に収容されているカード体１０５を最上面から一枚ずつ取り出しすることができる。これにより、カード体１０５として名刺を用いた場合、素早い名刺交換をすることが可能になる。
【先行技術文献】
【特許文献】
【０００５】
【特許文献１】特開２０１７−１３６３４０号公報（請求項３−６，００４２−００５６，図１８−３０等参照）
【発明の概要】
【発明が解決しようとする課題】
【０００６】
特許文献１におけるカード体収容ケースを名刺入れとして使用する場合において、名刺入れから名刺を一枚ずつ取り出しするためには、予め名刺入れに収容されている名刺の底部付近に新たな名刺を差し込まなければならない。したがって、先方から名刺を受取らない限りは、自身の名刺の取り出し方法は従来の名刺入れと同様にして行わなければならず、名刺の取り出しに時間がかかってしまうことがあるといった課題を有している。
【課題を解決するための手段】
【０００７】
そこで本発明は、外部から新たなカード体を追加することなく、カード体収容ケース内に予め収容されているカード体を簡単な操作で最上面から一枚ずつ取り出すことを可能にしたカード体収容ケースの提供を目的としている。
【０００８】
そこで本出願の発明者が鋭意研究した結果、以下の構成に想到した。すなわち、本発明は、可撓性を有する材料により多角形断面の筒状体に形成された外ケースと、前記外ケースの内部空間において前記筒状体の高さ方向における開口端部の間を往復する方向にスライド可能であって、カード体が収容される内ケースと、を具備し、前記内ケースは外表面の一面が開口面に形成されたトレー形状に形成されていて、前記外ケースの前記開口面に対向する対向面には、前記内ケースの最上面に位置する前記カード体に粘着する粘着部材が取り付けられていることを特徴とするカード体収容ケースである。
【０００９】
これにより、カード体が収容されている上面が開口面に形成された内ケースを外ケースの内部に収容した状態で粘着部材が取り付けられている部分に対応する外ケースの外表面を指で押圧して外ケースを弾性変形させ、粘着部材を内ケースに収容されている最上面のカード体に吸着させることができる。外ケースの押圧を解除すると外ケースの変形が復元し、粘着部材が吸着した一枚のカード体を外ケースの上側内表面まで持ち上げ、内ケースの他のカード体から分離することができる。この状態で内ケースを外ケース内でスライド移動させることで一枚のカード体を容易に取り出することができる。
【００１０】
また、前記内ケースには、前記開口面の一部を覆う上面カバーを有すると共に、前記上面カバーの内側面には、摩擦部材が取り付けられていることが好ましい。
【００１１】
これにより、粘着部材に吸着保持させたカード体を摩擦部材で押しつけながら内ケースを外ケースに戻すようにスライド移動させることで、内ケースを元の位置に戻す際にカード体の先端側の所要範囲部分をカード体収容ケースの前端部からはみ出させた状態にすることができ、カード体収容部からのカード体の取り出しをきわめて容易に行うことができる。
【００１２】
また、前記粘着部材は前記対向面に着脱可能であることが好ましい。
【００１３】
これにより、粘着部材の吸着力が低下した場合には粘着部材を交換することで内ケースからのカード体の分離を確実に行うことができる。
【００１４】
また、前記外ケースには、前記開口端部から前記粘着部材が取り付けられている位置に向けて切欠部が形成されていることが好ましい。
【００１５】
これにより、内ケースから分離させたカード体をカード体収容ケースから取り出しやすくなる。
【００１６】
また、前記内ケースと前記外ケースには、前記内ケースの前記外ケースからの逸脱を防止するためのストッパが設けられていることが好ましい。
【００１７】
これにより、内ケースをスライド移動させた際に勢い余って内ケースが外ケースから逸脱してしまうことを防止することができる。
【００１８】
また、前記外ケースと前記内ケースはいずれもシート体を折り曲げることにより形成されていることが好ましい。
【００１９】
これにより外ケースを容易に弾性変形させることができる。また、折り曲げにより形成されているので、接着剤やねじ等を使用していないため、外ケースに取り付けられている粘着部材の交換を容易に行うことができる。
【００２０】
また、前記外ケースと前記内ケースはいずれもシート体を折り曲げることにより形成されていて、前記外ケースの折り曲げ部に前記内ケースの折り曲げ部を組み合わせることにより、前記ストッパを形成していることが好ましい。
【００２１】
これにより外ケースを容易に弾性変形させることができ、外ケースに取り付けられている粘着部材の交換を容易に行うことができると共に、ストッパの構成を安価に形成することが可能になる。
【００２２】
また、前記外ケースは複数のパネルをヒンジにより連結し、互いの前記パネルを凹凸嵌合により組み立てることで形成されていることが好ましい。
【００２３】
これにより、カード体収容ケースに収容したカード体を外力から保護することができ、外力によるカード体の変形を防止することができる。
【００２４】
また、前記外ケースは複数のパネルをヒンジにより連結し、互いの前記パネルを凹凸嵌合により組み立てることで形成されていて、前記外ケースの内表面には少なくとも１箇所に前記内ケースの側に突出する嵌合用凸部が形成されていると共に、前記内ケースの外表面には、前記嵌合用凸部に対応する位置に嵌合用凹部が形成されていて、前記内ケースを前記外ケースの内部空間で移動させることにより、前記嵌合用凸部が前記嵌合用凹部に凹凸嵌合することにより前記ストッパとして作用することが好ましい。
【００２５】
これにより、カード体収容ケースに収容したカード体を外力から保護することができ、外力によるカード体の変形を防止することができると共に、ストッパを簡単な構成で形成することが可能になる。
【発明の効果】
【００２６】
本発明におけるカード体収容ケースの構成を採用することにより、カード体が収容されている上面が開口面に形成された内ケースを外ケースの内部に収容した状態で粘着部材が取り付けられている部分に対応する外ケースの外表面を指で押下して外ケースを弾性変形させ、粘着部材を内ケースに収容されている最上面のカード体に吸着させることができる。外ケースの押圧を解除すると外ケースの変形が復元し、粘着部材が吸着した一枚のカード体を外ケースの切欠部の位置まで持ち上げ、内ケースの他のカード体から分離させることができる。この状態で内ケースを外ケース内でスライド移動させることで切欠部から一枚のカード体を容易に取り出することができる。
【００２７】
また、カード体が名刺である場合には、自分の名刺を相手に先に渡す際においても素早くカード体収容ケースの最上面から一枚ずつ名刺を取り出しすることができ、素早い名刺交換をすることが可能になる。
【図面の簡単な説明】
【００２８】
【図１】第１実施形態におけるカード体収容ケースの外ケースと内ケースの展開図である。
【図２】第１実施形態におけるカード体収容ケースの組み立て状態を示す斜視図である。
【図３】第１実施形態におけるカード体収容ケースの組み立て状態を示す斜視図である。
【図４】第１実施形態におけるカード体収容ケースの組み立て状態を示す斜視図である。
【図５】第１実施形態におけるカード体収容ケースの斜視図である。
【図６】図５にカード体を収容した状態を示す斜視図である。
【図７】粘着部材により内ケースからカード体を一枚分離させた状態を示す斜視図である。
【図８】内ケースを外ケースに対してスライド移動させた状態を示す斜視図である。
【図９】内ケースから分離させた一枚のカード体を外ケースの切欠部から取り出している状態を示す斜視図である。
【図１０】第２実施形態におけるカード体収容ケースの外ケースと内ケースの展開図である。
【図１１】第２実施形態におけるカード体収容ケースの組み立て状態を示す斜視図である。
【図１２】第２実施形態におけるカード体収容ケースの組み立て状態を示す斜視図である。
【図１３】第２実施形態におけるカード体収容ケースにカード体を収容した状態を示す斜視図である。
【図１４】図１３に示すカード体収容ケースにおいて内ケースを外ケースに対してスライド移動させた状態を示す平面図である。
【図１５】図１４に示すカード体収容ケースにおいて内ケースを外ケースの内部に戻した状態を示す平面図である。
【図１６】第３実施形態におけるカード体収容ケースにおける組み立て前の外ケースと内ケースを示す斜視図である。
【図１７】第３実施形態におけるカード体収容ケースを組み立てた状態を示す外ケースと内ケースの一部透視平面図である。
【図１８】第３実施形態におけるカード体収容ケースからカード体を一枚取り出す際の状態を示す透視平面図である。
【図１９】カード体収容ケースの変形例を示す一部透視斜視図である。
【図２０】従来技術におけるカード体収容ケースの構造を示す断面図である。
【発明を実施するための形態】
【００２９】
（第１実施形態）
本実施形態におけるカード体収容ケース１０は、図１〜図５に示すように、可撓性を有するシート体である紙を用いて外ケース２０および内ケース３０を具備している。本実施形態では可撓性を有するシート体として紙を用いているが、紙の他に合成樹脂シート等を用いることもできる。本発明におけるカード体収容ケース１０を構成するためのシート体は、多角形断面形状の筒状体の外ケース２０を形成した際において形状を保持することができる剛性と、使用者が指等で外ケース２０の外表面に押圧力を作用させた際に、外ケース２０を弾性変形させることができる弾性および可撓性を有する公知の材料を好適に用いることができる。
【００３０】
外ケース２０は、図１に示すように所定の形状に切り取られた紙が複数の折曲線２１Ａ，２１Ｂ，２１Ｃ，２１Ｄ，２１Ｅ，２１Ｆ，２１Ｇの位置で折り曲げられて形成され、図５に示すような筒状体をなす。それぞれの折曲線２１Ａ〜２１Ｇまたは紙の端縁により区切られることにより外ケース２０の折り曲げ部である第１領域２０Ａ，第２領域２０Ｂ，第３領域２０Ｃ，第４領域２０Ｄ，第５領域２０Ｅ，第６領域２０Ｆ，第７領域２０Ｇ，第８領域２０Ｈがそれぞれ形成される。
【００３１】
第１領域２０Ａ，第３領域２０Ｃ，第５領域２０Ｅは外ケース２０の側面を構成し、第１領域２０Ａと第５領域２０Ｅがシート体の厚さ方向に重複する。第２領域２０Ｂと第４領域２０Ｄは外ケース２０の上面及び底面を構成する。第２領域２０Ｂの内表面（内ケース３０との対向面）には粘着部材としての粘着シール５０が取り付けられている。粘着シール５０は第２領域２０Ｂに対して着脱可能である。第６領域２０Ｆ，第７領域２０Ｇ，第８領域２０Ｈはそれぞれ第５領域２０Ｅ，第４領域２０Ｄ，第３領域２０Ｃにシート体の厚さ方向に重複し、後述する内ケース３０の抜け止め用ストッパ６０の一部を構成する。
【００３２】
図１に示すように第１領域２０Ａの上下方向における両端部は先端部形状が三角形状をなす組立用爪２８に形成されている。また、外ケース２０の上面になる第２領域２０Ｂには、外ケース２０における第１開口端部２３の側の端縁２２に粘着シール５０の取り付け位置に向けて半円弧状の第１切欠部２４が形成されている。また、第２領域２０Ｂの内ケース３０との対向面に取り付けられた粘着シール５０は、第２領域２０Ｂに対して着脱可能（交換可能）である。第３領域２０Ｃは外ケース２０形成時において第１領域２０Ａと対向する外表面（側面）となる。また、外ケース２０の底面になる第４領域２０Ｄには、第１開口端部２３の側の端縁２２に半楕円状の第２切欠部２６が形成されている。
【００３３】
第１切欠部２４は、後述する内ケース３０に収容したカード体としての名刺４０をカード体収容ケース１０から取り出す際に用いる切欠部である。そして第２切欠部２６は、名刺４０をカード体収容ケース１０から取り出す際に内ケース３０を外ケース２０に対してスライド移動させる際における動作を妨げないようにするため切欠部である。なお、第２切欠部２６の構成は必須ではないため配設を省略することもできる。
【００３４】
また、第１領域２０Ａとの重複面となる第５領域２０Ｅには、組立用爪２８の先端部が差し込み可能なスリット２９が形成されている。図１に示すようにスリット２９は組立用爪２８の傾斜面の傾斜とは反対方向に傾斜させた状態で形成されている。このようなスリット２９の形態を採用することにより、スリット２９に差し込んだ組立用爪２８はスリット２９から外れ難くなるため、外ケース２０の組み立て時に接着剤を用いる必要がない。このように接着剤を用いない組み立て式の外ケース２０を用いることにより、筒状体である外ケース２０における第２領域２０Ｂの内表面に取り付けられている粘着シール５０の交換が容易に行うことができる点において好都合である。なお、粘着シール５０の種類によっては粘着シール５０の表面を水洗いするだけで粘着力を復活させることもできる。
【００３５】
第６領域２０Ｆは、折曲線２１Ｅにおいて外ケース２０の内部空間の側（内ケース３０の側）に折り曲げられる。すなわち、第６領域２０Ｆは第５領域２０Ｅとシート体の厚さ方向に重複することになる。そして、第７領域２０Ｇは折曲線２１Ｆにおいて、外ケース２０の内部空間において第４領域２０Ｄとシート体の厚さ方向に重複する。図１〜図３に示すように、第７領域２０Ｇは第１領域２０Ａ〜第６領域２０Ｆに対して縦方向の長さが半分以下になっている。第８領域２０Ｈは、第３領域２０Ｃとシート体の厚さ方向に重複し、第７領域２０Ｇと同じ縦寸法に形成されている。
【００３６】
第７領域２０Ｇ、第８領域２０Ｈは、後述する内ケース３０第５領域３０Ｅおよび第６領域３０Ｆと共に内ケース３０の抜け止め用のストッパ６０を構成しており、外ケース２０の第７領域２０Ｇの縦方向寸法を調整することにより、外ケース２０に対する内ケース３０のスライド量を調整することができる。なお、第８領域２０Ｈの縦方向（内ケース３０のスライド方向）寸法は、内ケース３０のスライド量には影響がなく、外ケース２０の外部にはみ出さなければ任意の縦方向寸法を採用することができる。また、ストッパ６０の構成は必須ではないため、第７領域２０Ｇおよび第８領域２０Ｈは省略することもできる。
【００３７】
内ケース３０は図１に示すように、下端部がテーパ部分を有する形状に切り取られた紙片を折曲線３１Ａ，３１Ｂ，３１Ｃ，３１Ｄ，３１Ｅの位置で折り曲げられ、内ケース３０の折り曲げ部である第１領域３０Ａ，第２領域３０Ｂ，第３領域３０Ｃ，第４領域３０Ｄ，第５領域３０Ｅ，第６領域３０Ｆが形成される。本実施形態における内ケース３０は、図３および図４に示すように、外表面の一面である上面が開口面３２に形成されたトレー形状に形成されている。
【００３８】
第１領域３０Ａは、外ケース２０に対して内ケース３０をスライド移動させる際に、適度な摩擦を与えると共に外ケース２０の剛性を高めるための補剛材としての機能を有し、さらには内ケース３０に収容したカード体としての名刺４０のストッパ片として作用する。第２領域３０Ｂは、内ケース３０のスライド方向の第１の壁面（後端面）を構成する。第３領域３０Ｃは内ケース３０の底面を構成する。また、折曲線３１Ｄにおいて折り曲げられてなる第４領域３０Ｄおよび第５領域３０Ｅは、内ケース３０のスライド方向の第２の壁面（前端面）を構成する。第６領域３０Ｆは、内ケース３０の内側に折り曲げられて第３領域３０Ｃの上面に重複し、第５領域３０Ｅと外ケース２０の第７領域２０Ｇおよび第８領域２０Ｈと共に内ケース３０の抜け止め用のストッパ６０を構成する。
【００３９】
以上のような外ケース２０と内ケース３０の組み立てについて説明する。なお、ここでの組み立て方法は一例であるため、外ケース２０と内ケース３０の組み立て手順はここでの説明順序に限定されるものではない。まず、図１に示す外ケース２０のブランクを図２に示すように、折曲線２１Ｄ，２１Ｅ，２１Ｆ，２１Ｇでの位置で折り曲げる。外ケース２０と同様に、内ケース３０のブランクにおいては、折曲線３１Ｃ，３１Ｄの位置で折り曲げる。
【００４０】
次に図３に示すように、内ケース３０の第３領域３０Ｃと第６領域３０Ｆで外ケース２０の第７領域２０Ｇを挟み込むようにして外ケース２０に内ケース３０を取り付けて一体にする。そして内ケース３０の折曲線３１Ａ，３１Ｂの位置で折り曲げる。このとき、内ケース３０の折曲線３１Ｃ，３１Ｄでの折り曲げをしっかりと行い、第４領域３０Ｄと第５領域３０Ｅが第３領域３０Ｃと第６領域３０Ｆに対して直交した状態で起立させるようにしておくことが好ましい。
【００４１】
次に図４に示すように、互いに隣接する領域どうしが直交した状態になるようにすべての折曲線の位置で折り曲げを行う。このとき図４に示すように内ケース３０は、図３に示す内ケース３０の位置から第４領域３０Ｄと第５領域３０Ｅが第２切欠部２６の側の端部（第１開口端部２３；前端部）の側に移動させておくことが好ましい。
【００４２】
そして図５に示すように、外ケース２０のスリット２９に組立用爪２８の先端部分の所定範囲を差し込むことでカード体収容ケース１０を組み立てることができる。このようにカード体収容ケース１０を組み立て式にすることで、カード体収容ケース１０の分解が容易になり、外ケース２０又は内ケース３０のいずれか一方のみを交換することができると共に、粘着シール５０の交換も容易に行うことが可能になる点で好都合である。
【００４３】
図６は図５に示すカード体収容ケース１０にカード体としての名刺４０を収容した状態を示す。名刺４０は、名刺４０の厚さ方向に積層させた状態で内ケース３０に収容されている。使用者は、カード体収容ケース１０から名刺４０を取り出しする際には、外ケース２０の第２領域２０Ｂの粘着シール５０の位置を外ケース２０の外側から内部空間に向けて押圧し、第２領域２０Ｂを弾性変形させる。第２領域２０Ｂが弾性変形することにより第２領域２０Ｂの内ケース３０との対向面に取り付けられている粘着シール５０が最上面に位置する名刺４０を吸着する。そして図７に示すように、第２領域２０Ｂの弾性変形が復元すると、粘着シール５０は名刺４０を内ケース３０に積層されている他の名刺（図示はしない）から一枚のみ抜き出しすることができる。なお、図示はしないが、第２領域２０Ｂの外表面には粘着シール５０の取り付け位置に位置合わせして押圧部の目印を付しておくことが好ましい。
【００４４】
本実施形態におけるカード体収容ケース１０は、長方形断面を有する筒状体に形成された外ケース２０に、外ケース２０の両端開口部（第１開口端部２３，第２開口端部２５）を往復する方向にトレー形状に形成された内ケース３０がスライド可能に収容されている。使用者は第１切欠部２４と第２切欠部２６の部分に指を入れて、内ケース３０の第４領域３０Ｄおよび第５領域３０Ｅが外ケース２０の内部空間に入り込むように（内ケース３０を第２開口端部２５；後端部の側に）スライド移動させる。本実施形態においては、図３に示すように内ケース３０の第３領域３０Ｃ〜第６領域３０Ｆによって外ケース２０の第７領域２０Ｇを挟み込むことでストッパ６０が形成されているため、内ケース３０が外ケース２０から逸脱してしまうことはない。
【００４５】
内ケース３０を外ケース２０内でスライド移動させると、図８に示すように、内ケース３０から一枚取り出され、粘着シール５０に吸着保持された名刺４０がその一部を第１切欠部２４からカード体収容ケース１０（外ケース２０）の外表面に露出させた状態にすることができる。最後に使用者は、図９に示すように第１切欠部２４から名刺４０をつまんで、カード体収容ケース１０から引き抜けば、粘着シール５０による吸着保持が解除され、名刺４０をカード体収容ケース１０から取り出すことができる。使用者は名刺４０を取り出した後は、内ケース３０を外ケース２０の第１開口端部２３の側に戻し、内ケース３０を外ケース２０の内部空間に収容させればよい。以上を繰り返し行うことで、内ケース３０に集積させた状態で収容した複数枚の名刺４０から簡単な動作で一枚の名刺４０のみを確実に取り出しすることができる。
【００４６】
（第２実施形態）
図１０は第２実施形態におけるカード体収容ケース１０の外ケース２０と内ケース３０の展開図である。本実施形態においては、第１実施形態と同様の構成については第１実施形態で用いた符号を図面に付すことでここでの詳細な説明は省略している。
【００４７】
本実施形態における外ケース２０は、組立用爪２８が第１領域２０Ａの長手方向における端縁の中途位置に設けられた折曲線２１Ｈの位置でシート体を折り曲げることにより形成される。本実施形態における組立用爪２８は第１領域２０Ａの長手方向における端縁から突出する半円弧形状に形成されている。また、この組立用爪２８の差し込み口であるスリット２９は、折曲線２１Ｄの線上に形成されている。
【００４８】
また、本実施形態における第７領域２０Ｇには、スリット２９の形成位置に位置合わせして窓部２７が形成されている。この窓部２７は、スリット２９に組立用爪２８を差し込みする際に第７領域２０Ｇのシート体が差し込みの抵抗にならないようにするためのものである。また、スリット２９に差し込んだ組立用爪２８が第７領域２０Ｇのシート体の厚み内に収まるようにすることもできる。
【００４９】
また、本実施形態における内ケース３０は、開口面３２の一部を覆う上面カバーである第１領域３０Ａの先端部が所要範囲にわたって幅狭に形成されていて、幅狭に形成された部分の内側面に摩擦部材３４が取り付けられている。摩擦部材３４としては合成樹脂シート等の公知の材料を用いることができる。
【００５０】
内ケース３０の第３領域３０Ｃの長手方向における端縁部において第４領域３０Ｄ側の位置には舌片部Ｚが形成されている。舌片部Ｚは、折曲線３１Ｆ，３１Ｇ，３１Ｈ，３１Ｉの位置で第７領域３０Ｇ，第８領域３０Ｈ，第９領域３０Ｉ，第１０領域３０Ｊに区分される。第７領域３０Ｇと第８領域３０Ｈは第３領域３０Ｃに対して直立する起立部になる。第９領域３０Ｉと第１０領域３０Ｊは第４領域３０Ｄと第５領域３０Ｅの間に入り込むベロ部となる。このような起立部とベロ部を有することにより内ケース３０の剛性を高めることができ、カード体収容ケース１０の使い勝手を向上させることができる点において好都合である。
【００５１】
本実施形態におけるカード体収容ケース１０において、外ケース２０と内ケース３０の組み立て方法について説明する。図１１に示すように外ケース２０は折曲線２１Ａ，２１Ｂ，２１Ｃ，２１Ｄ，２１Ｅ，２１Ｆ，２１Ｇの位置でシート体を適宜折り曲げする。同じく図１１に示すように内ケースは、折曲線３１Ａ，３１Ｂ，３１Ｃ，３１Ｄ，３１Ｅの位置でシート体を適宜折り曲げする。このとき内ケース３０のベロ部（第９領域３０Ｉおよび第１０領域３０Ｊ）は、第４領域３０Ｄと第５領域３０Ｅの間に入り込んだ状態になっている。
【００５２】
次に図１２に示すように外ケース２０の第４領域２０Ｄの上面側に内ケース３０の第３領域３０Ｃを重ねた状態にし、外ケース２０の第７領域２０Ｇを内ケース３０の第３領域３０Ｃと第６領域３０Ｆとで挟み込むようにして外ケース２０と内ケース３０とを組み合わせた状態にする。このように外ケース２０の第７領域２０Ｇを内ケース３０の第３領域３０Ｃと第６領域３０Ｆとで挟持することで、外ケース２０からの内ケース３０の逸脱を防止するストッパ６０を構成する点は第１実施形態と同様である。
【００５３】
次に図１３に示すように、外ケース２０の第１領域２０Ａの組立用爪２８を第１領域２０Ａが重複する第５領域２０Ｅに形成されたスリット２９（図１１参照）に差し込むことで外ケース２０と外ケース２０に対してスライド移動可能な内ケース３０とが一体化されたカード体収容ケース１０が形成される。図１３に示すカード体収容ケース１０の内ケース３０には、カード体としての名刺４０が収容されている。
【００５４】
本実施形態におけるカード体収容ケース１０に収容した名刺４０の取り出し方法について説明する。ここでは、第１実施形態と共通する操作部分については図示を省略し、第１実施形態と異なる操作部分のみ図示して説明を行う。使用者は、カード体収容ケース１０から名刺４０を取り出しする際には、外ケース２０の第２領域２０Ｂの粘着シール５０の位置を外ケース２０の外側から内部空間に向けて押圧し、第２領域２０Ｂを弾性変形させる。第２領域２０Ｂが弾性変形することにより第２領域２０Ｂの内ケース３０との対向面に取り付けられている粘着シール５０が最上面に位置する名刺４０を吸着する。そして第２領域２０Ｂの弾性変形が復元すると、粘着シール５０は名刺４０を内ケース３０に積層されている他の名刺（図示はしない）から一枚のみ抜き出し（分離）することができる。
【００５５】
次に使用者は第１切欠部２４と第２切欠部２６の部分に指を入れて、内ケース３０の第４領域３０Ｄおよび第５領域３０Ｅの部分が外ケース２０の内部空間に入り込むように（内ケース３０の第２領域３０Ｂと第１領域３０Ａの一部を外ケース２０からはみ出させるように）スライド移動させる。内ケース３０を外ケース２０内でスライド移動させると、図１４に示すように粘着シール５０に吸着保持された名刺４０がその一部を第１切欠部２４からカード体収容ケース１０（外ケース２０）の外表面に露出させた状態にすることができる。
【００５６】
そして使用者は、外ケース２０からはみ出している内ケース３０の一部を再度外ケース２０の内部空間に収容させるように（図１４内の矢印の方向に）内ケース３０をスライド移動させる。このとき、図１４に示すように、摩擦部材３４の取り付け位置の周辺部分を指で押さえながら内ケース３０をスライドさせることが好ましい。なお、外ケース２０の第２領域２０Ｂの外表面には、摩擦部材３４の取り付け位置に対応する部分に目印を設けることもできる。これにより、摩擦部材３４が粘着シール５０に吸着保持されている名刺４０の上面を押さえつけた状態で内ケース３０をスライド移動させると、名刺４０が粘着シール５０から引き離れて内ケース３０と共にスライド移動させることができる。
【００５７】
以上の操作により図１５に示すように、内ケース３０から一枚のみ取り出した名刺４０の先端部分をカード体収容ケース１０の（外ケース２０の）前端部からはみ出させた状態にすることができる。最後に使用者はカード体収容ケース１０からはみ出している名刺４０をつまんで、カード体収容ケース１０から引き抜けばよいのである。
【００５８】
（第３実施形態）
図１６は第３実施形態におけるカード体収容ケース１０の組み立て状態を示す斜視図である。本実施形態においては、第１実施形態と同様の構成については第１実施形態で用いた符号を図面に付すことでここでの詳細な説明は省略している。
【００５９】
第３実施形態におけるカード体収容ケース１０は合成樹脂製パネルや金属製パネルにより形成されている。合成樹脂製パネルの場合も金属製パネルの場合も、使用者が外ケース２０の外表面を押圧した際に十分な弾性変形性能（可撓性）を有する材料により形成することができる。なお本実施形態における外ケース２０は、倒Ｌ字型に形成された第１部材２０−１の第２領域２０Ｂ２と、倒コの字型に形成された第２部材２０−２の第３領域２０Ｃ２とをヒンジＨＡにより回動可能に連結されている。
【００６０】
外ケース２０の第１部材２０−１における第１領域２０Ａ２の内表面には、外ケース２０の内部空間の側（内ケース３０の側）に突出する第１凸部Ｐ１が２箇所に形成されている。第２領域２０Ｂ２の内ケース３０との対向面には粘着シール５０が取り付けられている。外ケース２０の第２部材２０―２における第４領域２０Ｄ２の内部空間の側の面には、第４領域２０Ｄ２の内部空間の側の面に対して凹形状をなす第１溝部６０Ａが刻設されている。第１溝部６０Ａは外ケース２０における第１開口端部２３から第２開口端部２５に向かって延設されている。第２部材２０−２の第５領域２０Ｅ２には、第１部材２０−１を図１６内の矢印Ａの方向に回動させて第２部材２０−２と組み立てた際に、第１凸部Ｐ１と重複する位置（対応する位置）に２つの第２凸部Ｐ２が形成されている。第１凸部Ｐ１と第２凸部Ｐ２は凹凸嵌合可能に形成されている。
【００６１】
ここでは、互いに凹凸嵌合可能な嵌合用凸部および嵌合用凹部はいずれも第１凸部Ｐ１および第２凸部Ｐ２のように凸部と表現しているが、第１凸部Ｐ１を嵌合用凸部とした場合、これと凹凸嵌合する第２凸部Ｐ２は嵌合用凹部に相当する。このように互いに凹凸嵌合可能な第１凸部Ｐ１および第２凸部Ｐ２が形成された第１部材２０−１および第２部材２０−２は工具や接着剤を用いずに筒状体をなす外ケース２０を組み立ておよび解体が可能である。これにより粘着シール５０の交換も容易に行うことができる。
【００６２】
内ケース３０は筒状体を成す外ケースの第１開口端部２３と第２開口端部２５との間でスライド可能な上面が開口面３２に形成されたトレー形状に形成されている。内ケース３０は底面となる第１領域３０ａの第１開口端部２３の側の端縁を除く他の３端縁に沿って第１領域３０ａに直交方向に起立する第２領域３０ｂ，第３領域３０ｃ，第４領域３０ｄを有する。また、第１領域３０ａには内ケース３０の外側面に向けて凸形状となるように第２溝部６０Ｂが刻設されている。ここでは第１溝部６０Ａを凹形状とし、第２溝部６０Ｂを凸形状としているが、第１溝部６０Ａと第２溝部６０Ｂは互いに凹凸嵌合すると共に、一方が他方に対してスライド可能に形成されていればよい。
【００６３】
図１７は図１６に示す内ケース３０に名刺４０を入れた後に外ケース２０の内部空間に収容した状態にして、第１凸部Ｐ１と第２凸部Ｐ２とを凹凸嵌合させて一体化したカード体収容ケース１０の一部透視平面図である。図１７に示すように内ケース３０を外ケース２０の内部空間に完全に収容した状態においては、第２溝部６０Ｂの第１端部が第１溝部６０Ａの第１開口端部２３の側の端部と当接し、外ケース２０の第１開口端部２３の側への内ケース３０の移動を規制することができる。このように本実施形態においては第１溝部６０Ａと第２溝部６０Ｂが、外ケース２０からの内ケース３０の逸脱を防止するためのストッパ６０を構成している。なお、本実施形態においては、第１溝部６０Ａよりも延設距離の短い第２溝部６０Ｂの突出部分が第１溝部６０Ａの凹部分内をスライド移動する形態になっているが、この形態に限定されるものではない。
【００６４】
本実施形態におけるカード体収容ケース１０からの名刺４０の取り出し方法について説明する。使用者は、図１７に示したカード体収容ケース１０の粘着シール５０の配設位置（第２領域２０Ｂ２）を外側から押下し、押下部分を内ケース３０の側に弾性変形させて粘着シール５０を最上面に位置している名刺４０に付着させる。使用者は外ケース２０の押下部分から手を放すと、外ケース２０の弾性変形が復元し、粘着シール５０により積層状態の名刺４０から一枚の名刺４０を抜き取り保持することができる。
【００６５】
次に使用者は第１切欠部２４および第２切欠部２６の位置に指を進入させ、内ケース３０の第１開口端部２３の側の端縁を第２開口端部２５側である図１８内の矢印Ｂの方向に（外ケース２０の内部空間に向けて）押し込み第１切欠部２４から名刺４０の一部を外ケース２０から露出させた状態にする。この状態においては図１８に示すように、第２溝部６０Ｂの第１端部が第１溝部６０Ａの第２開口端部２５側の端部に当接しているので、内ケース３０が外ケース２０から逸脱してしまうことはない。使用者は第１切欠部２４と第２切欠部２６の部分で名刺４０をつまむことができるので、そのまま名刺４０をカード体収容ケース１０からスマートに取り出し、挨拶相手に名刺４０を素早く渡すことができる。
【００６６】
なお、相手から図示しない名刺を受取った場合には、図１８に示すように、外ケース２０から内ケース３０の開口面３２の一部が露出しているので、露出している開口面３２から名刺を内ケース３０の底面の直上位置（内ケース３０に積層させている名刺（図示はしない）の最下段）となるように名刺を差し込めばよい。
【００６７】
本実施形態におけるカード体収容ケース１０の構成を採用することにより、第１実施形態に比べて剛性の高いカード体収容ケース１０にすることができ、使い勝手が良好で耐久性に優れたカード体収容ケース１０を提供することが可能になる点で好都合である。
【００６８】
以上に実施形態に基づいて本発明について詳細に説明をしたが、本発明の技術的範囲は以上の実施形態に限定されるものではない。例えば、以上の実施形態においては、多角形断面の筒状体に形成された外ケース２０として長方形断面の筒状体に形成された外ケース２０の形態を採用しているが、この形態に限定されない。内ケース３０が名刺４０等のカード体を厚さ方向に積層させた状態で収容でき、外ケース２０の内部空間をスライド移動させることが可能であれば、他の多角形断面の筒状体に形成することもできる。
【００６９】
また、第１実施形態および第２実施形態においては、第１切欠部２４および第２切欠部２６を有する外ケース２０の形態について説明したが、第１切欠部２４および第２切欠部２６の構成は必須ではないため外ケース２０への配設を省略することもできる。
【００７０】
また、以上の実施形態においては、ストッパ６０の構成について具体的に例示しているが、これらに限定されるものではない。図１９に示すように第３実施形態で外ケース２０の組み立てに用いた第１凸部Ｐ１および第２凸部Ｐ２の他に第３凸部Ｐ３〜第５凸部Ｐ５を追加し、第２凸部Ｐ２〜第５凸部Ｐ５によりストッパ６０を構成することもできる。
【００７１】
第３凸部Ｐ３および第４凸部Ｐ４は外ケース２０における第３領域２０Ｃ２の第１開口端部２３および第２開口端部２５から所定距離の位置に設けられている、第５凸部Ｐ５は、内ケース３０で第３凸部Ｐ３との対向面である第２領域３０ｂと、第２凸部Ｐ２との対向面である第４領域３０ｄにおける内ケース３０のスライド方向における中央部分に設けられている。第５凸部Ｐ５は、第２凸部Ｐ２，第３凸部Ｐ３，第４凸部Ｐ４のすべてに凹凸嵌合可能に形成されているので、内ケース３０が外ケース２０の第１開口端部２３と第２開口端部２５のいずれ側からも逸脱しないようにすることができる。
【００７２】
また、第３実施形態においては、嵌合用凸部および嵌合用凹部に相当する第１凸部Ｐ１および第２凸部Ｐ２をそれぞれ２箇所に形成した形態について説明しているが、嵌合用凸部およびこれに凹凸嵌合する嵌合用凹部はいずれも１箇所のみにすることもできるし、３箇所以上に形成することもできる。
【００７３】
また、以上に説明した実施形態においてはいずれも第１切欠部２４および第２切欠部２６とストッパ６０が形成されているが、第１切欠部２４および第２切欠部２６とストッパ６０の構成は必須ではないため、いずれについてもカード体収容ケース１０への配設を省略することが可能である。
【００７４】
そして以上の変形例の他、実施形態において説明した形態を適宜組み合わせた構成を採用することも可能である。
【符号の説明】
【００７５】
１０  カード体収容ケース，
２０  外ケース，
２１Ａ，２１Ｂ，２１Ｃ，２１Ｄ，２１Ｅ，２１Ｆ，２１Ｇ、２１Ｈ  折曲線，
２２  端縁，２３  第１開口端部，２４  第１切欠部，２５  第２開口端部，
２６  第２切欠部，２８  組立用爪部，２９  スリット，
３０  内ケース，
３０Ａ  第１領域（上面カバー），
３１Ａ，３１Ｂ，３１Ｃ，３１Ｄ，３１Ｅ，３１Ｆ，３１Ｇ，３１Ｈ，３１Ｉ  折曲線，
３２  開口面，
４０  名刺（カード体），
５０  粘着シール（粘着部材），
６０  ストッパ，６０Ａ  第１溝部，６０Ｂ  第２溝部，
Ｐ１  第１凸部，Ｐ２  第２凸部，Ｐ３  第３凸部，Ｐ４  第４凸部，Ｐ５  第５凸部，
ＨＡ  ヒンジ，Ｚ  舌片部
【図１】
2020078397.tif 000003
【図２】
2020078397.tif 000004
【図３】
2020078397.tif 000005
【図４】
2020078397.tif 000006
【図５】
2020078397.tif 000007
【図６】
2020078397.tif 000008
【図７】
2020078397.tif 000009
【図８】
2020078397.tif 000010
【図９】
2020078397.tif 000011
【図１０】
2020078397.tif 000012
【図１１】
2020078397.tif 000013
【図１２】
2020078397.tif 000014
【図１３】
2020078397.tif 000015
【図１４】
2020078397.tif 000016
【図１５】
2020078397.tif 000017
【図１６】
2020078397.tif 000018
【図１７】
2020078397.tif 000019
【図１８】
2020078397.tif 000020
【図１９】
2020078397.tif 000021
【図２０】
2020078397.tif 000022